(57)【特許請求の範囲】
【請求項１】
火災時に消火剤を放出し火災を消火する際、手動起動装置の手動起動スイッチ部を操作することによってのみ起動条件が成立し消火剤を放出させ消火を行う手動起動モードと、火災を検出する火災検出器の発報を受信するかまたは前記手動起動装置の手動起動スイッチ部を操作することにより起動条件が成立し消火剤を放出させ消火を行う自動起動モードとを切り換えて火災の消火を行う消火設備において、
前記手動起動装置の手動起動スイッチ部を操作して起動条件が成立してから消火剤を放出するまでの第１の放出遅延時間と、自動起動モード時に火災検出器の発報により起動条件が成立してから自動的に消火起動するまでの第２の放出遅延時間とを別々に設定する放出遅延時間設定回路を設けたことを特徴とする消火設備。
【請求項２】
請求項１記載の消火設備において、前記放出遅延時間設定回路は、前記第１の放出遅延時間より前記第２の放出遅延時間を長く設定することを特徴とする消火設備。
【請求項３】
請求項１又は２記載の消火設備において、前記放出遅延時間設定回路の第１の放出遅延時間と第２の放出遅延時間は、各監視区域毎に設定可能であることを特徴とする消火設備。
【請求項４】
請求項１乃至３のいずれかに記載の消火設備において、前記第１の放出遅延時間および第２の放出遅延時間のいずれか一方の作動開始後、他方の放出遅延時間を作動させる条件が成立しても、前記他方の放出遅延時間の作動を禁止することを特徴とする消火設備。
【請求項５】
請求項１乃至４のいずれかに記載の消火設備において、前記放出遅延時間設定回路は、自動起動モード時に火災検出器の発報により自動起動したときに作動する第１のリレーと、前記手動起動部を操作したときに作動する第２のリレーと、第１のリレーが作動すると前記第２の放出遅延時間だけカウントして起動リレーを起動させる第１のタイマリレーと、第２のリレーが作動すると前記第１の放出遅延時間だけカウントして起動リレーを起動させる第２のタイマリレーを有することを特徴とする消火設備。
【請求項６】
請求項１乃至４のいずれかに記載の消火設備において、前記放出遅延時間設定回路は、自動起動モード時に火災検出器の発報により作動する第１のリレーと、前記手動起動部を操作したときに作動する第２のリレーと、第１のリレーが作動すると遅延回路を作動させる第３のリレーと、遅延回路が所定時間作動した後に作動する第４のリレーと、該第４のリレーの作動により作動するとともに前記第２のリレーの作動により所定時間作動して起動リレーを起動させるタイマリレーを有することを特徴とする消火設備。
【発明の詳細な説明】
【０００１】
【産業上の利用分野】
本発明は、火災時に消火剤を放出して室内の火災を消火する消火設備に関し、特にハロンガスや二酸化炭素の消火ガスを放出して消火を行うガス系の消火設備に関する。
【０００２】
【従来の技術】
従来、この種の消火設備としては、火災感知器の火災信号によって自動的に消火剤が放出される自動起動モードと、人が火災を確認し、手動で手動起動スイッチを操作することによって消火剤が放出される手動起動モードの２種類の切り換えによって室内を監視し、消火を行うものが知られている。
【０００３】
このようなガス系の消火設備の例を図６に示す（特願平６−６２４３２号、参照）。
図４において、１は制御盤であり、ガス系の消火設備を一括制御する。２ａ，２ｂは手動起動装置であり、監視区域の部屋毎に部屋の外に設置され、手動起動手段としての手動起動スイッチと手動起動スイッチを保護するための扉を備え、人が火災を発見したときには、この扉を開け、手動起動スイッチを操作することにより制御盤１に火災が起きたことを知らせ、消火剤としての消火ガスを放出させる。
【０００４】
３ａ，３ｂは放出表示灯であり、監視区域内に消火ガスが放出されていることを表示し、室内に入らないことを知らせる。４ａ，４ｂは噴射ヘッドであり、消火ガスを室内に放出する。５ａ，５ｂは消火ガスが放出されることを警報し、人が警戒区域内に存在する場合は直ちに避難することを促す音声警報スピーカである。６は消火ガスを貯蔵した消火薬剤貯蔵容器である。７ａ，７ｂは起動装置であり、制御盤１から消火ガス放出命令を受けて選択弁８ａ，８ｂと消火薬剤貯蔵容器６の栓を開けるために、例えば二酸化炭素などの開放ガスを放出する。
【０００５】
すなわち、起動装置７ａ，７ｂはソレノイドと二酸化炭素ガスが収納された容器を有し、制御盤１からの通電によりソレノイドが作動すると、弁が開放され、開放ガスのガス圧により選択弁８ａ，８ｂと消火薬剤貯蔵容器６の栓を開ける。選択弁８ａ，８ｂは起動装置７ａ，７ｂの起動により弁が開き、消火ガスを火災の生じた部屋へ導く。９ａ，９ｂは火災を検出する火災検出手段としてのセンサであり、２回線の感知ラインで各監視区域を監視している。
【０００６】
１０ａ，１０ｂは圧力スイッチであり、消火薬剤貯蔵容器６から消火ガスが放出されたことを検出し、制御盤１に検出信号を送り、火災の発生した監視区域に対応した放出表示灯３ａ，３ｂを点滅させる。１１ａ，１１ｂはピストンレリーザであり、消火ガスが部屋に放出されたとき消火ガスを室外に漏れないようにダンパーで排煙口を閉じる。
【０００７】
ピストンレリーザ１１ａ，１１ｂは、消火ガスの流入により自動的にダンパーを閉じ、ピストンレリーザ１１ｂのダンパーの復旧はダンパー復旧弁１２により行われ、ピストンレリーザ１１ａのダンパーの復旧は手動により行われる。
制御盤１は、手動モード灯、自動モード灯などの表示灯を有する。尚、１３は制御盤１に非常電源を供給する非常電源装置、１４は消火薬剤貯蔵容器６からの消火ガスの供給を手動で閉止する閉止弁である。
【０００８】
手動起動モードまたは自動起動モードにかかわらず、起動条件を満たすと、制御盤１は音声警報スピーカ５ａ，５ｂで消火ガスが放出されることを警報し、監視区域に消火ガスを放出するように、手動起動装置２ａ，２ｂに対応した起動装置７ａ，７ｂを起動させる制御信号を出力する。制御信号を受けてソレノイドが作動すると、起動装置７ａ，７ｂが選択弁８ａ，８ｂの弁と消火薬剤貯蔵装置６の弁を開けるために開放ガスを放出する。
【０００９】
開放ガスのガス圧により弁が開かれると、消火薬剤貯蔵容器６内の消火ガスは配管を通って起動した起動装置７ａ，７ｂに対応して開かれた選択弁８ａ，８ｂを介して噴射ヘッド４ａ，４ｂから消火ガスが火災の発生した部屋に放出され、同時に消火ガスでピストンレリーザ１１ａ，１１ｂを閉じて部屋を消火ガスで充満させる。消火薬剤が圧力スイッチ１０ａ，１０ｂをオンさせると制御盤１に信号が流れ、制御盤１は放出表示灯３ａ，３ｂを点滅させる。
【００１０】
手動起動モードにセットされている場合は、センサ９ａまたはセンサ９ｂが発報すると、制御盤１において警報を出力し監視員に現場を確認することを促す。監視員が現場を確認し、火災と判断したときに火災現場に対応した手動起動装置２ａ，２ｂの扉を開け、手動起動スイッチを操作することにより、手動起動を行う。また、自動起動モードにセットされている場合は、２回線のセンサ９ａ，９ｂが発報したときに制御盤１が自動的に消火起動を行う。
【００１１】
ここで、この従来の消火設備においては、手動起動モード、自動起動モードにかかわらず起動条件（手動起動スイッチが操作されたとき、または自動起動モードで２回線の火災感知器９ａ，９ｂが発報したとき）が成立してから所定の時間（放出遅延時間）をおいて実際に消火ガスを放出する。この放出遅延時間は消火ガスを放出する監視区域から人が退避のための時間と、監視区域を防火戸で封鎖するために設けた時間である。
【００１２】
【発明が解決しようとする課題】
しかしながら、このような従来の消火設備にあっては、この放出遅延時間が、手動起動モード、自動起動モードともに同じ時間に設定されていた。手動起動モード時は通常現場を確認してから手動起動装置の起動スイッチを操作するので、特に放出遅延時間は防火戸を閉めるだけの時間でよいが、自動起動モード時は２回線の火災感知器が発報するとすぐに放出遅延時間のカウントを開始するので、現場の確認も十分にできずに、仮に火災現場に人がいたとしても、消火ガスが放出してしまう恐れがあった。
【００１３】
本発明は、このような従来の問題点に鑑みてなされたものであって、手動起動モード、自動起動モードにかかわらず、充分火災現場の確認ができ、火災現場にいる人々が余裕をもって退避できるようにして、火災現場に人がいるときには消火ガスの放出をしないようにした消火設備を提供することを目的とする。
【００１４】
【課題を解決するための手段】
この目的を達成するために、本発明は、次のように構成する。
まず、本発明は、火災時に消火剤を放出し火災を消火する際、手動起動装置の手動起動スイッチ部を操作することによってのみ起動条件が成立し消火剤を放出させ消火を行う手動起動モードと、火災を検出する火災検出器の発報を受信するかまたは前記手動起動装置の手動起動スイッチ部を操作することにより起動条件が成立し消火剤を放出させ消火を行う自動起動モードとを切り換えて火災の消火を行う消火設備を対象とする。
【００１５】
このような消火設備について、本発明は、手動起動装置の手動起動スイッチ部を操作して起動条件が成立してから消火剤を放出するまでの第１の放出遅延時間と、自動起動モード時に火災検出器の発報により起動条件が成立してから自動的に消火起動するまでの第２の放出遅延時間とを別々に設定する放出遅延時間設定回路を設けたことを特徴とする。
本発明の放出遅延時間設定回路は、第１の放出遅延時間より第２の放出遅延時間を長く設定する。
【００１６】
また、本発明の放出遅延時間設定回路の第１の放出遅延時間と第２の放出遅延時間は、各監視区域毎に設定可能である。
また、本発明は、第１の放出遅延時間および第２の放出遅延時間のいずれか一方の作動開始後、他方の放出遅延時間を作動させる条件が成立しても、前記他方の放出遅延時間の作動を禁止する。
【００１７】
また、本発明の放出遅延時間設定回路は、自動起動モード時に火災検出器の発報により自動起動したときに作動する第１のリレーと、前記手動起動部を操作したときに作動する第２のリレーと、第１のリレーが作動すると前記第２の放出遅延時間だけカウントして起動リレーを起動させる第１のタイマリレーと、第２のリレーが作動すると前記第１の放出遅延時間だけカウントして起動リレーを起動させる第２のタイマリレーを有する。
【００１８】
また、本発明の放出遅延時間設定回路は、自動起動モード時に火災検出器の発報により作動する第１のリレーと、前記手動起動部を操作したときに作動する第２のリレーと、第１のリレーが作動すると遅延回路を作動させる第３のリレーと、遅延回路が所定時間作動した後に作動する第４のリレーと、該第４のリレーの作動により作動するとともに前記第２のリレーの作動により所定時間作動して起動リレーを起動させるタイマリレーを有する
【００１９】
【作用】
このような構成を備えた本発明の消火設備によれば、手動起動部を操作してから消火剤を放出するまでの第１の放出遅延時間と、自動起動モード時に火災検出器の発報から自動的に消火起動するまでの第２の放出遅延時間とを別々に設定するようにしたので起動方法にあった設定ができ、火災現場の確認を確実に行うことができる。
【００２０】
また、第１の放出遅延時間より第２の放出遅延時間を長く設定することにより、自動起動モード時に火災現場を充分確認することができる。
また、各放出遅延時間は各監視区域毎に設定可能としたため、各監視区域の状況にあった時間の設定を行うことができる。
また、放出遅延時間設定回路は、第１のリレーが作動すると所定の放出遅延時間Ｔd1作動して起動リレーを起動させる第１のタイマリレーと、第２のリレーが作動すると放出遅延時間Ｔd2作動して起動リレーを起動させる第２のタイマリレーを有するので、第１の放出遅延時間と、第２の放出遅延時間を別々に設定することができる。
【００２１】
また、放出遅延時間設定回路は、第１のリレーが作動すると遅延回路を作動させる第３のリレーと、遅延回路が所定時間ΔＴ作動した後に作動する第４のリレーと、第４のリレーの作動により作動するとともに第２のリレーの作動により所定時間Ｔd2作動して起動リレーを起動させるタイマリレーを有するので、第１の放出遅延時間と第２の放出遅延時間をタイマ１つで設定することができる。
【００２２】
【実施例】
図１は本発明の一実施例を示すブロック図である。
図１において、２１はガス系の消火設備を制御する制御盤であり、制御盤２１には火災感知器２２ａ，２２ｂ、手動起動装置２３、起動装置２４、放出表示灯２５、圧力スイッチ２６およびスピーカ２７がそれぞれ接続されている。制御盤２１は各監視区域に対応して制御を行うための複数の区画２８を有し、区画２８内には区画制御部２９、センサ受信回路３０、蓄積回路３１、監視回路３２、区画表示部３３、および音声出力部３４がそれぞれ設けられている。
【００２３】
これらの区画２８以外の領域には各区画毎に設けられた区画制御部２９を制御する主制御部３５、主表示部３６、主操作部３７、ブザー３８、音声ユニット３９、および電源部４０がそれぞれ設けられている。
主操作部３７には自動起動モードと手動起動モードを切り換える自／手起動モード切換スイッチ、復旧を行うための復旧スイッチなどが設けられている。
【００２４】
主表示部３６には自動起動モードを表示する自動起動モード灯、手動起動モードを表示する手動起動モード灯が設けられ、さらに起動装置２４を起動させたことを示す起動表示灯、消火ガスが放出されたことを表示する放出表示灯などが設けられている。
ブザー３８は主制御部３５の指示により火災の発生や異常が発生したことを警報する。音声ユニット３９は消火ガスが監視区域で放出されることを知らせる音声メッセージを合成して出力する。電源部４０は各部に電源を供給する。
【００２５】
主制御部３５は、放出遅延時間設定回路３５ａを有し、放出遅延時間設定回路３５ａは手動起動装置２３の手動起動スイッチ２３ａを操作してから消火剤を放出するまでの放出遅延時間Ｔd2と、自動起動モード時に火災感知器２２ａ，２２ｂからの発報で自動的に消火起動するまでの放出遅延時間Ｔd1が設定されている。このＴd1，Ｔd2の設定は全区画同一の時間を設定してもよいが、各区画毎に設定可能にすると各区画の環境にあった設定ができる。この各放出遅延時間の設定は火災現場にいる人々が退避できる時間が考慮されている。さらに、監視員が火災現場に駆けつけるまでの時間が考慮されており、駆けつけるまでの時間が長いときは手動起動モード時の放出遅延時間Td2 より自動起動モード時の放出遅延時間Ｔd1を長く設定して、火災現場を充分確認することができるようにする。なお、火災現場までの距離が近く、十分に火災現場の確認ができるときはＴd1とＴd2を同一の時間に設定してもよい。
【００２６】
放出遅延時間設定回路３５ａは、起動条件が成立したとき（自動起動モードで火災感知器２２ａ，２２ｂの２回線の発報や手動起動装置２３の手動起動スイッチ２３ａが操作されたとき、または手動起動モードで手動起動装置２３の手動起動スイッチ２３ａが操作されたとき）には、それぞれの放出遅延時間Ｔd1,Td2分だけカウントし、カウントが終了すると、起動装置２４を起動させる。
【００２７】
手動起動装置２３内には手動起動スイッチ２３ａ以外に扉開放検出部２３ｂ、操作部２３ｃおよび表示部２３ｄが設けられている。扉開放検出部２３ｂは手動起動スイッチ２３ａを操作するために手動起動装置２３の扉が開放されたことを検出する。
操作部２３ｃには非常停止スイッチが設けられ、また、手動起動装置２３からも自動起動モードと手動起動モードの切換えを行うことができるように、自／手起動切換スイッチが設けられてもよい。表示部２３ｄには火災の発生を表示する火災表示灯、異常の発生を表示する異常表示灯、電源灯などが設けられている。
【００２８】
区画２８内に設けられた蓄積回路３１には火災感知器２２ｂからの火災信号を受信したとき、所定の時間蓄積を行って再度火災感知器２２ｂから発報信号を受信した場合、センサ受信回路３０に出力するものである。センサ受信回路３０には蓄積回路３１を介しての火災感知器２２ｂからの発報信号と火災感知器２２ａからの発報信号がそれぞれ入力し、センサ受信回路３０は２回線の火災感知器２２ａ，２２ｂからの各発報信号を区画制御部２９に出力する。
【００２９】
監視回路３２は、手動起動装置２３の手動起動スイッチ２３ａと制御盤２１を結ぶ起動信号線４１の監視を行い、起動信号線４１の異常（地絡、短絡、断線）を検出する。手動起動装置２３の手動起動スイッチ２３ａが操作されたときは手動起動信号が監視回路３２を経由して区画制御部２９に送出され、監視回路３２は手動起動信号の監視を行う。
【００３０】
区画表示部３３には火災表示灯、異常表示灯などが設けられ、区画表示部３３は火災が発生したときは火災表示灯を点灯させ、異常が検出されたときは異常表示灯を点灯させる。
消火ガスが監視区域に放出されることをスピーカ２７で監視区域に出力するときは、区画制御部２９が音声出力部３４に出力信号を出力し、音声出力部３４は音声ユニット３９とスピーカ２７を接続して音声メッセージを出力させる。
【００３１】
起動装置２４内にはソレノイドが設けられており、区画制御部２９内に設けられている図示しないリレー接点が閉じると、区画制御部２９から電源がソレノイドに供給され、ソレノイドが作動する。ソレノイドが作動すると、開放ガスが放出され、開放ガスによって消火ガスが放出される。消火ガスが放出されると、圧力スイッチ２６がオンし、区画制御部２９にオン信号を出力する。区画制御部２９はオン信号の入力により放出表示灯２５を点滅させる。
【００３２】
次に、図２（Ａ）は遅延時間設定回路の例を示し、図２（Ｂ）はソレノイドの作動回路を示す。図２（Ｂ）において、５１は自／手起動モード切換スイッチであり、自動モードに設定するときに閉じるスイッチである。自／手起動モード切換スイッチ５１の一端にはリレー５２が接続され、他端は接地接続されている。自／手起動モード切換スイッチ５１は、手動起動装置２３の操作部２３ｃ内または、制御盤２１の主操作部３７内に設けられている。
【００３３】
５３は起動装置２４内に設けられたソレノイドであり、ソレノイド５３にはリレー接点５４ａ，５４ｂがそれぞれ直列に接続されている。リレー接点５４ａ，５４ｂは区画制御部２９内に設けられ、図２（Ａ）の起動リレー５４が作動すると閉じる。
図２（Ａ）において、５５は第１のリレーであり、第１のリレー５５には火災感知器２２ａが発報したとき閉じるリレー接点５６ａ、火災感知器２２ｂが発報したとき閉じるリレー接点５６ｂおよび自動起動モードでリレー５２が作動したとき閉じるリレー接点５２ａがそれぞれ直列に接続されている。したがって、自動起動モード時に、火災感知器２２ａ，２２ｂが２回線とも発報したとき、第１のリレー５５が作動する。第１のリレー５５が作動すると、リレー接点５５ａが閉じるようになっている。
【００３４】
５７は第２のリレーであり、第２のリレー５７には手動起動装置２３の手動起動スイッチ２３ａが操作されたとき閉じるリレー接点５８ａおよび扉開放検出部２３ｂが手動起動装置２３の扉が開放されたことを検出したとき閉じるリレー接点５８ｂがそれぞれ直列に接続されている。したがって、手動起動モード時または自動起動モード時において、手動起動装置２３の扉が開放され、手動起動スイッチ２３ａが操作されると、第２のリレー５７が作動する。第２のリレー５７が作動すると、リレー接点５７ａが閉じるようになっている。
【００３５】
５９は第１のタイマリレーであり、第１のタイマリレー５９は自動起動モード時に第１のリレー５５が作動してリレー接点５５ａが閉じると所定の遅延時間Ｔd1をカウントし、タイムアップになると、リレー接点５９ａを閉じる。この遅延時間は、火災現場に人がいるときには消火ガスが放出されないように、火災現場を充分確認でき、また人々が余裕に退避できる時間に設定されている。
【００３６】
第１のタイマリレー５９には第１の自己保持リレー６０が並列に接続されるとともにリレー接点５５ａおよびリレー接点６１ａが直列に接続され、リレー接点５５ａにはリレー接点６０ａが並列に接続されている。
６２は第２のタイマリレーであり、手動起動のときにカウントされるタイマである。第２のタイマリレー６２には第２の自己保持リレー６１が並列に接続されるとともに、第１の自己保持リレー６０の作動で開くリレー接点６０ｂと第２のリレー５７の作動により閉じるリレー接点５７ａが直列に接続され、リレー接点５７ａには第２の自己保持リレー６１の作動で閉じるリレー接点６１ｂが並列に接続されている。
【００３７】
手動起動モード、自動起動モードにかかわらず、リレー接点５７ａが閉じると、第２のタイマリレー６２は所定の遅延時間Ｔd2をカウントした後にリレー接点６２ａを閉じる。手動起動モード時には、通常火災現場を確認してから手動起動装置２３の手動起動スイッチ２３ａを操作するため、消火ガスを放出するまでの遅延時間は防火戸を閉じるだけの時間を考慮して設定されている。
【００３８】
５４は起動リレーであり、起動リレー５４には第１のタイマリレー５９がタイムアップすると閉じるリレー接点５９ａと第２のタイマリレー６２がタイムアップすると閉じるリレー接点６２ａからなる並列回路が直列に接続されている。リレー接点５９ａ，６２ａのいずれか一方が閉じると、起動リレー５４は作動する。起動リレー５４の作動により、リレー接点５４ａ，５４ｂが閉じると、ソレノイド５３が作動する。
【００３９】
次に、図２の動作を図１とあわせて説明する。
手動起動モードに設定されているときは自／手起動モード切換スイッチ５１が開いており、リレー５２は作動せず、リレー接点５２ａは開いている。
このとき、火災感知器２２ａ，２２ｂのうち１回線が発報すると、センサ受信回路３０から区画制御部２９に発報信号が入力し、区画制御部２９は主制御部３５に発報信号を出力するとともに、区画表示部３３で火災表示灯を点滅させる。また、区画制御部２９は手動起動装置２３内の表示部２３ｄの火災表示灯を点灯させる。また、主制御部３５は主表示部３６の火災表示灯を点灯させるとともにブザー３８を鳴動させる。なお、火災感知器２２ａ，２２ｂが２回線とも発報したときは区画表示部３３の火災表示灯は点灯する。
【００４０】
火災表示灯の点滅とブザーの鳴動により、監視員が現場を確認し、火災の発生を確認すると、手動起動装置２３の扉を開放する。扉を開放すると、扉開放検出部２３ｂが区画制御部２９に扉開放信号を送出し、区画制御部２９はその信号を受信して、音声出力部３４に音声出力信号を送出し、音声ユニット３９とスピーカ２７を操作し、スピーカ２７から消火ガスが放出されることを音声メッセージで警報する。このように、扉が開放されると、図２（Ａ）のリレー接点５８ｂが閉じる。
【００４１】
続いて手動起動装置２３の手動起動スイッチ２３ａを操作すると、手動起動信号が監視回路３２、区画制御部２９を経由して主制御部３５に入力し、図２（Ａ）のリレー接点５８ａが閉じる。リレー接点５８ａ，５８ｂが閉じると、第２のリレー５７が作動し、リレー接点５７ａを閉じる。
このため、第２のタイマリレー６２がカウントを開始する。また、リレー接点５７ａが閉じると、第２の自己保持リレー６１が第２のタイマリレー６２と同時に作動し、リレー接点６１ｂを閉じ、リレー接点６１ａを開く。これにより、第２のタイマリレー６２は作動を保持する。
【００４２】
第２のタイマリレー６２の作動中に、もし、自／手起動モード切換スイッチ５１が自動起動モードに切り換えられ、第１のリレー５５が作動して、リレー接点５５ａが閉じても、第２の自己保持リレー６１の作動により、リレー接点６１ａが開いているため、第１のタイマリレー５９は作動しない。このように、第２のタイマリレー６２が作動しているときは、自動起動モードに切り換えられても第１のタイマリレー５９は作動しない。
【００４３】
なお、第２の自己保持リレー６１および第２のタイマリレー６２は、復旧スイッチの操作により、リレー接点６３ａが開くと、リセットされる。
次に、第２のタイマリレー６２が所定の遅延時間Ｔd2だけカウントして、タイムアップになると、リレー接点６２ａが閉じて起動リレー５４が作動する。起動リレー５４が作動すると、リレー接点５４ａ，５４ｂが閉じ、ソレノイド５３に区画制御部２９から電源が供給されて、ソレノイド５３が作動し、消火ガスの放出が行われる。
【００４４】
次に、自動起動モード時の動作を説明する。
自／手起動モード切換スイッチ５１が自動起動モードに設定されているときは、リレー５２が作動して、リレー接点５２ａが閉じている。
このように設定されているときに火災感知器２２ａ，２２ｂが発報したときは、センサ受信回路３０から区画制御部２９に発報信号が出力され、区画制御部２９は主制御部３５に発報信号を出力する。主制御部３５の放出遅延時間設定回路３５ａは、発報信号により、図２（Ａ）のリレー接点５６ａ，５６ｂを閉じる。このため、第１のリレー５５が作動する。第１のリレー５５が作動すると、リレー接点５５ａが閉じ、第１のタイマリレー５９がカウントをスタートさせる。リレー接点５５ａが閉じると、第１のタイマリレー５９と同時に第１の自己保持リレー６０が作動し、リレー接点６０ａを閉じ、リレー接点６０ｂを開く。こうして、第１のタイマリレー５９は作動を保持する。
【００４５】
もし、この第１のタイマリレー５９の作動中に、自／手起動モード切換スイッチ５１が手動起動モードに切り換えられ、手動起動装置２３の手動起動スイッチ２３ａを操作した場合に、第２のリレー５７が作動して、リレー接点５７ａを閉じても、第１の自己保持リレー６０の作動により、リレー接点６０ｂが開いているので、第２のタイマリレー６２は作動せず、第１のタイマリレー５９のカウントを保持する。
【００４６】
第１のタイマリレー５９が所定の遅延時間Ｔd1だけ作動した後にタイムアップになると、リレー接点５９ａが閉じて、起動リレー５４が作動する。起動リレー５４が作動すると、リレー接点５４ａ，５４ｂが閉じて、ソレノイド５３が作動し、消火ガスが放出される。
次に、図３（Ａ）は他の遅延時間設定回路の例を示し、図３（Ｂ）はソレノイド作動回路を示す。図３（Ａ）はタイマ１つを備えた場合の例である。
【００４７】
なお、図３（Ｂ）のソレノイド作動回路と図３（Ａ）の第１，第２のリレー５５，５７、リレー接点５６ａ，５６ｂ，５２ａ，５８ａ，５８ｂは図２と同じ構成であるので、説明を省略する。
図３（Ａ）において、７１はタイマリレーであり、手動起動装置で手動起動されたときの放出遅延時間が設定されている。
【００４８】
タイマリレー７１には自己保持リレー７２が並列に接続されるとともに、２つの並列に接続されたリレー接点５７ａとリレー接点７２ａからなる並列回路とリレー接点７３ａが直列に接続されている。
また、リレー接点７３ａ，７２ａ，５７ａとからなる回路に並列にリレー接点７４ａが接続されている。
【００４９】
手動起動モード、自動起動モードに係わらず手動起動装置２３で手動起動が行われリレー接点５８ａ，５８ｂが閉じ、第２のリレー５７が作動すると、リレー接点５７ａが閉じ、タイマリレー７１が作動する。また、リレー接点５７ａが閉じると、自己保持リレー７２はタイマリレー７１と同時に作動し、リレー接点７２ａを閉じ、リレー接点７２ｂを開く。したがって、タイマリレー７１は作動を保持し、この作動中に第３のリレー７３を作動させない。リレー接点７４ａは第４のリレー７４の作動により閉じ、タイマリレー７１および自己保持リレー７２が作動するようになっている。
【００５０】
リレー接点７３ａは第３のリレー７３の作動により開き、自動起動モードのときに、火災感知器の発報により自動起動した後に手動起動装置２３で手動起動して、リレー接点５７ａが閉じても、タイマリレー７１および自己保持リレー７２は作動しないようになっている。
第３のリレー７３にはリレー接点５５ａおよびリレー接点７２ｂが直列に接続され、リレー接点５５ａには第３のリレーの作動を保持するためのリレー接点７３ｂが並列に接続されている。
【００５１】
自動起動モードで第１のリレー５５が作動すると、リレー接点５５ａが閉じて、第３のリレー７３が作動する。第３のリレー７３の作動により、遅延回路７５が作動する。また、第３のリレー７３の作動により、リレー接点７３ｂが閉じ、リレー接点７３ａが開く。
第３のリレー７３の一端と遅延回路７５が接続され、遅延回路７５の出力は第４のリレー７４と直列に接続されたトランジスタ７６のベースと接続されている。遅延回路７５は、自動起動されたときと手動起動されたときの放出遅延時間の差ΔＴだけ、トランジスタ７６への出力を遅延されて、タイマリレー７１の作動を遅らせる回路である。
【００５２】
遅延回路７５が所定の遅延時間ΔＴ作動すると、トランジスタ７６を作動させる。トランジスタ７６が作動すると、第４のリレー７４が作動して、リレー接点７４ａ，７４ｂを閉じる。リレー接点７４ｂは第４のリレー７４の作動を保持する。
次に、図３の動作を説明する。
【００５３】
なお、図２と同じ構成の回路部分の動作の説明は省略する。
手動起動モードにおいて、手動起動装置で手動起動され、第２のリレー５７が作動すると、リレー接点５７ａが閉じて、タイマリレー７１がカウントを開始する。また、リレー接点５７ａが閉じると、タイマリレー７１の作動と同時に自己保持リレー７２が作動し、リレー接点７２ａを閉じ、リレー接点７２ｂを開く。
【００５４】
したがって、タイマリレー７１は作動を保持する。この状態において、自／手起動モード切換スイッチ５１が自動起動モードに切り換えられて、リレー接点５５ａが閉じても、自己保持リレー７２によりリレー接点７２ｂが開いているので、第３のリレー７３は作動しない。
所定の遅延時間Ｔd2後にタイマリレー７１がタイムアップすると、リレー接点７１ａが閉じ、起動リレー５４が作動する。起動リレー５４の作動により、リレー接点５４ａ，５４ｂが閉じて、ソレノイド５３が作動し、消火ガスの放出が行われる。
【００５５】
次に、自動起動モード時の動作を説明する。
自動起動モードにおいて、第１のリレー５５が作動すると、リレー接点５５ａが閉じるので、第３のリレー７３が作動する。第３のリレー７３が作動すると、遅延回路７５をスタートさせ、同時にリレー７３ａを開き、リレー接点７３ｂを閉じる。リレー接点７３ｂが閉じると、第３のリレー７３は手動起動モードに切り換えられても、作動を保持し、遅延回路７５の作動を保持する。
【００５６】
次に、遅延回路７５が所定の遅延時間ΔＴ経過後、トランジスタ７６を作動させる。トランジスタ７６の作動により、第４のリレー７４が作動する。第４のリレー７４が作動すると、リレー接点７４ａ，７４ｂが閉じる。リレー接点７４ｂが閉じると、第４のリレー７４は作動を保持する。
リレー接点７４ａが閉じると、タイマリレー７１がスタートする。また、リレー接点７４ａが閉じると、タイマリレー７１の作動と同時に自己保持リレー７２が作動し、リレー接点７２ａを閉じ、リレー接点７２ｂを開く。したがって、タイマリレー７１は作動を保持する。タイマリレー７１の作動中に自／手起動モード切換スイッチ５１が手動起動モードに切り換えられても、自己保持リレー７２の作動によりリレー接点７２ｂが開いているので、第３のリレー７３は作動しない。
【００５７】
タイマリレー７１がＴd2時間後にタイムアップすると、リレー接点７１ａが閉じ、起動リレー５４が作動する。起動リレー５４の作動により、リレー接点５４ａ，５４ｂが閉じて、ソレノイド５７が作動し、消火ガスが放出される。
このように、自動起動モードでは、遅延回路７５による遅延時間ΔＴとタイマリレー７１による遅延時間Ｔd2を加算した遅延時間Ｔd1＝Ｔd2＋ΔＴ後に消火ガスが放出される。したがって、火災現場を充分確保する時間があり、火災現場に人がいるときに消火ガスを放出してしまうようなことがなくなる。
【００５８】
なお、監視区域の設置状況によっては、自動起動モード、手動起動モードの放出遅延時間が同じでも良いことが考えられる。この場合は図２においては第１，第２のタイマリレーのＴd1，Ｔd2を同一時間に設定したり、図３の遅延回路の遅延時間を零にすればよい。
また、この図２，図３の回路は各区画毎に設けて、各区画毎に各放出遅延時間の設定を行ってもよい。
【００５９】
【発明の効果】
以上説明してきたように、本発明によれば、手動起動部を操作して手動起動させたときの放出遅延時間と自動起動モードのとき自動で起動されたときの放出遅延時間を別々に設定するようにしたため、監視区域や起動方法にあった時間を設定でき、人が余裕を持って火災現場から退避できるようにして、火災現場に人がいるときに消火ガスを放出するような危険を回避することができる。
【図面の簡単な説明】
【図１】本発明の一実施例に係る消火設備のブロック図
【図２】放出遅延時間設定回路の例を示す図
【図３】放出遅延時間設定回路の他の例を示す図
【図４】従来例を示す図
【符号の説明】
２１：制御盤
２２ａ，２２ｂ：火災感知器
２３：手動起動装置
２３ａ：手動起動スイッチ
２３ｂ：扉開放検出部
２３ｃ：操作部
２３ｄ：表示部
２４：起動装置
２５：放出表示部
２６：圧力スイッチ
２７：スピーカ
２８：区画
２９：区画制御部
３０：センサ受信回路
３１：蓄積回路
３２：監視回路
３３：区画表示部
３４：音声出力部
３５：主制御部
３５ａ：放出遅延時間設定回路
３６：主表示部
３７：主操作部
３８：ブザー
３９：音声ユニット
４０：電源部
４１：起動信号線
５１：自／手起動モード切換スイッチ
５２：リレー
５２ａ，５４ａ，５４ｂ，５５ａ，５６ａ，５６ｂ，５７ａ，５８ａ，５８ｂ，５９ａ，６０ａ，６０ｂ，６１ａ，６１ｂ，６２ａ，６３ａ，７１ａ，７２ａ，７２ｂ，７３ａ，７３ｂ，７４ａ，７４ｂ：リレー接点
５３：ソレノイド
５４：起動リレー
５５：第１のリレー
５７：第２のリレー
５９：第１のタイマリレー
６０：第１の自己保持リレー
６１：第２の自己保持リレー
６２：第２のタイマリレー
７１：タイマリレー
７２：自己保持リレー
７３：第３のリレー
７４：第４のリレー
７５：遅延回路
７６：トランジスタ
【図１】
0003679452.tif 000002
【図２】
0003679452.tif 000003
【図３】
0003679452.tif 000004
【図４】
0003679452.tif 000005